(57)【特許請求の範囲】
【請求項１】
単票紙に画像を形成する画像形成手段と、
該画像形成手段に画像を形成された単票紙が、画像形成順に載置される載置部と、
を備えた画像形成装置であって、
ジョブ毎に連続して単票紙に画像が形成され、各ジョブに対応する画像が形成された単票紙が同一の上記載置部に載置されるように、上記画像形成手段を制御可能な制御手段と、
上記画像形成手段により画像を形成された単票紙の枚数をジョブに対応付けて計数する計数手段と、
該計数手段により計数された単票紙の枚数に基づいて、上記載置部に載置された単票紙の載置順序としての頁数と上記ジョブとの対応関係を表示する表示手段と、
該表示手段に表示された頁数を、ジョブ単位で取り消す取消手段と、
該取消手段により取り消されたジョブに対応する枚数を除いて、上記計数手段により計数された単票紙の枚数に基づき、上記頁数と上記ジョブとの対応関係を再表示する再表示手段と、
を備えたことを特徴とする画像形成装置。
【請求項２】
上記取消手段は、使用者の入力に応じて、上記表示手段に表示された頁数を、ジョブ単位で取り消すことを特徴とする請求項１記載の画像形成装置。
【請求項３】
上記表示手段は、使用者の入力に応じた単一のジョブに対して、上記載置部に載置された単票紙の載置順序としての頁数と上記ジョブとの対応関係を表示し、
上記取消手段は、上記表示手段に表示されたジョブに対して、上記表示手段に表示された頁数をジョブ単位で取り消すことを特徴とする請求項２記載の画像形成装置。
【請求項４】
少なくともファクシミリ機能とコピー機能とを含む複数の機能を備え、指定された機能に基づき単票紙に画像を形成する画像形成手段と、
該画像形成手段に画像を形成された単票紙が、画像形成順に載置される載置部と、
を備えた画像形成装置であって、
上記機能毎に連続して単票紙に画像が形成され、各機能に対応する画像が形成された単票紙が同一の上記載置部に載置されるように、上記画像形成手段を制御可能な制御手段と、
上記画像形成手段により画像を形成された単票紙の枚数を上記機能に対応付けて計数する計数手段と、
該計数手段により計数された単票紙の枚数に基づいて、上記載置部に載置された単票紙の載置順序としての頁数と上記機能との対応関係を表示する表示手段と、
該表示手段に表示された頁数を、機能単位で取り消す取消手段と、
該取消手段により取り消された機能に対応する枚数を除いて、上記計数手段により計数された単票紙の枚数に基づき、上記頁数と上記機能との対応関係を再表示する再表示手段と、
を備えたことを特徴とする画像形成装置。
【請求項５】
上記対応関係は、ファクシミリ機能により画像を形成された単票紙の頁数と、他の機能により画像を形成された単票紙の頁数とを区別可能に表示されることを特徴とする請求項４記載の画像形成装置。
【請求項６】
上記載置部が１つであることを特徴とする請求項１〜５のいずれかに記載の画像形成装置。
【発明の詳細な説明】
【技術分野】
【０００１】
本発明は、単票紙に画像を形成して、その画像を形成された単票紙を画像形成順に載置部に載置部する画像形成装置に関し、詳しくは、画像を形成されて上記載置部に載置された単票紙に関する情報を示する表示手段を備えた画像形成装置に関する。
【背景技術】
【０００２】
従来より、単票紙に画像を形成する画像形成手段と、該画像形成手段に画像を形成された単票紙が、画像形成順に載置される載置部と、を備えた画像形成装置が考えられている。この種の画像形成装置では、画像形成手段によって単票紙に画像を形成し、その画像を形成された単票紙を載置部に画像形成順に載置することができる。
【０００３】
ところが、このような画像形成装置では、複数の異なるジョブに対応する画像が形成された単票紙が載置部に順次載置されてしまうと、その単票紙をジョブ毎に仕分けする作業が非常に面倒になる。そこで、１つの画像形成装置に多段の載置部を設け、画像形成後の単票紙をジョブ毎に異なる載置部に載置し、更に、各載置部に設けた表示部にそのジョブに関する情報を表示することが提案されている（例えば、特許文献１参照。）。
【特許文献１】特開２０００−２６３８８９号公報
【発明の開示】
【発明が解決しようとする課題】
【０００４】
ところが、１つの画像形成装置に多段の載置部を設けると、その画像形成装置の小型化が困難になる。特に、近年、プリンタ等の画像形成装置がデスク等の上に置いて使用されるケースが増えており、載置部を多段に設けて画像形成装置が高さ方向に大型化することは極力避けなければならない。また、画像形成装置がファクシミリ機能，コピー機能等の複数の機能を備えている場合も、機能毎に載置部を設けると同様に画像形成装置が大型化してしまう。そこで、本発明は、１つの載置部に複数の異なるジョブまたは機能に対応する画像が形成された単票紙が順次積層された場合でも、その単票紙をジョブ毎または機能毎に容易に仕分けることのできる画像形成装置の提供を目的としてなされた。
【課題を解決するための手段】
【０００５】
上記目的を達するためになされた本発明は、単票紙に画像を形成する画像形成手段と、該画像形成手段に画像を形成された単票紙が、画像形成順に載置される載置部と、を備えた画像形成装置であって、ジョブ毎に連続して単票紙に画像が形成され、各ジョブに対応する画像が形成された単票紙が同一の上記載置部に載置されるように、上記画像形成手段を制御可能な制御手段と、上記画像形成手段により画像を形成された単票紙の枚数をジョブに対応付けて計数する計数手段と、該計数手段により計数された単票紙の枚数に基づいて、上記載置部に載置された単票紙の載置順序としての頁数と上記ジョブとの対応関係を表示する表示手段と、該表示手段に表示された頁数を、ジョブ単位で取り消す取消手段と、該取消手段により取り消されたジョブに対応する枚数を除いて、上記計数手段により計数された単票紙の枚数に基づき、上記頁数と上記ジョブとの対応関係を再表示する再表示手段と、を備えたことを特徴としている。
【０００６】
このように構成された本発明では、制御手段は、ジョブ毎に連続して単票紙に画像が形成され、各ジョブに対応する画像が形成された単票紙が同一の上記載置部に載置されるように画像形成手段を制御する。すると、画像形成手段は、その制御に従ってジョブに応じた画像を単票紙に順次形成し、同一の載置部に順次載置する。このとき、計数手段は、画像形成手段により画像を形成された単票紙の枚数をジョブに対応付けて計数し、その計数された単票紙の枚数に基づいて、表示手段は、載置部に載置された単票紙の載置順序としての頁数と上記ジョブとの対応関係を表示する。
【０００７】
このように、本発明では、載置部に載置された単票紙の載置順序としての頁数とジョブとの対応関係が、表示手段によって表示される。このため、１つの載置部に複数の異なるジョブに対応する画像が形成された単票紙が順次積層された場合でも、その単票紙をジョブ毎に容易に仕分けることができる。従って、本発明の画像形成装置では、載置部をジョブ毎に設けなくても、所望のジョブに対応する画像が形成された単票紙を容易に取り出すことができ、装置の操作性を低下させることなく小型化が可能となる。
【０００８】
しかも、本発明では、特定のジョブに対応する画像が形成された単票紙のみを使用者が取り出したときに、その取り出された単票紙に関連する頁数の表示を取消手段によって取り消すことができる。従って、特定のジョブに対応する画像が形成された単票紙が取り出された後からでも、他の所望のジョブに対応する画像が形成された単票紙を容易に取り出すことができる。
【０００９】
更に、特定のジョブに対応する画像が形成された単票紙のみが取り出されたときには、再表示手段によって、取り出された単票紙の枚数を除いて頁数とジョブとの対応関係が再表示される。従って、特定のジョブに対応する画像が形成された単票紙が取り出された後からでも、一層容易に、他の所望のジョブに対応する画像が形成された単票紙を取り出すことができる。
なお、本発明において、上記取消手段は、使用者の入力に応じて、上記表示手段に表示された頁数を、ジョブ単位で取り消してもよく、その場合更に、上記表示手段は、使用者の入力に応じた単一のジョブに対して、上記載置部に載置された単票紙の載置順序としての頁数と上記ジョブとの対応関係を表示し、上記取消手段は、上記表示手段に表示されたジョブに対して、上記表示手段に表示された頁数をジョブ単位で取り消してもよい。
【００１０】
また、本発明は、少なくともファクシミリ機能とコピー機能とを含む複数の機能を備え、指定された機能に基づき単票紙に画像を形成する画像形成手段と、該画像形成手段に画像を形成された単票紙が、画像形成順に載置される載置部と、を備えた画像形成装置であって、上記機能毎に連続して単票紙に画像が形成され、各機能に対応する画像が形成された単票紙が同一の上記載置部に載置されるように、上記画像形成手段を制御可能な制御手段と、上記画像形成手段により画像を形成された単票紙の枚数を上記機能に対応付けて計数する計数手段と、該計数手段により計数された単票紙の枚数に基づいて、上記載置部に載置された単票紙の載置順序としての頁数と上記機能との対応関係を表示する表示手段と、該表示手段に表示された頁数を、機能単位で取り消す取消手段と、該取消手段により取り消された機能に対応する枚数を除いて、上記計数手段により計数された単票紙の枚数に基づき、上記頁数と上記機能との対応関係を再表示する再表示手段と、を備えたことを特徴とするものであってもよい。
【００１１】
このように構成された本発明では、制御手段は、機能毎に連続して単票紙に画像が形成され、各ジョブに対応する画像が形成された単票紙が同一の上記載置部に載置されるように画像形成手段を制御する。すると、画像形成手段は、指定された機能に基づいて上記制御に従って単票紙に画像を順次形成し、同一の載置部に順次載置する。このとき、計数手段は、画像形成手段により画像を形成された単票紙の枚数を機能に対応付けて計数し、その計数された単票紙の枚数に基づいて、表示手段は、載置部に載置された単票紙の載置順序としての頁数と上記機能との対応関係を表示する。
【００１２】
このように、本発明では、載置部に載置された単票紙の載置順序としての頁数と機能との対応関係が、表示手段によって表示される。このため、１つの載置部に複数の異なる機能に対応する画像が形成された単票紙が順次積層された場合でも、その単票紙を機能毎に容易に仕分けることができる。従って、本発明の画像形成装置では、載置部を機能毎に設けなくても、所望の機能に対応する画像が形成された単票紙を容易に取り出すことができ、装置の操作性を低下させることなく小型化が可能となる。
【００１３】
しかも、本発明では、特定の機能に対応する画像が形成された単票紙のみを使用者が取り出したときに、その取り出された単票紙に関連する頁数の表示を取消手段によって取り消すことができる。従って、特定の機能に対応する画像が形成された単票紙が取り出された後からでも、他の所望の機能に対応する画像が形成された単票紙を容易に取り出すことができる。
【００１４】
更に、特定の機能に対応する画像が形成された単票紙のみが取り出されたときには、再表示手段によって、取り出された単票紙の枚数を除いて頁数と機能との対応関係が再表示される。従って、特定の機能に対応する画像が形成された単票紙が取り出された後からでも、一層容易に、他の所望の機能に対応する画像が形成された単票紙を取り出すことができる。
【００１５】
また、本発明において、上記対応関係は、ファクシミリ機能により画像を形成された単票紙の頁数と、他の機能により画像を形成された単票紙の頁数とを区別可能に表示されてもよい。ファックスは、使用者の意図しないタイミングで送られてくる場合がある。従って、このように、少なくとも、ファクシミリ機能により画像を形成された単票紙の頁数と、他の機能により画像を形成された単票紙の頁数とが区別できる場合、一層顕著な効果が得られる。
【００１６】
更に、上記各発明において、上記載置部は１つであってもよい。載置部が１つである場合、画像形成装置を一層良好に小型化することができ、また、前述のような表示手段を設けた効果が一層顕著に表れる。
【発明を実施するための最良の形態】
【００１７】
次に、本発明の実施の形態を図面と共に説明する。図１は本発明が適用された画像形成装置としての複合機１の構成を表す斜視図である。図１に示すように、複合機１は本体ケーシング３を有する画像形成ユニット２の上部側に画像読取ユニット１００を配設してなり、ファクシミリ機能、スキャナ機能、コピー機能、プリンタ機能を有する。また、詳細には後述するが、この複合機１は胴内排紙型とされ、両ユニット２、１００間に位置して排紙トレイ４６（図２参照）が設けられている。なお、以下の説明において、複合機１の奥行き方向をＸ方向（正面側を＋Ｘとする）、幅方向（図１における左手前側を＋Ｙとする）をＹ方向とし、高さ方向をＺ方向（図１における上側を＋Ｚとする）として説明する。先ず、画像形成ユニット２について説明し、その後、画像読取ユニット１００について説明する。
【００１８】
＜画像形成ユニット＞
図２は複合機１の内部構成を表す垂直断面図である。画像形成ユニット２は本体ケーシング３の底側に配置される用紙供給用のフィーダ部４と、その上方に配置される画像形成用の画像形成部５とを有している。
【００１９】
フィーダ部４は薄いトレイ状をなす給紙カセット６の正面側に送出ローラ１１、給紙ローラ８、ピンチローラ１０、レジストローラ１２を備え、給紙カセット６から単票紙としての用紙を一枚ずつ正面側に引き出した後、本体ケーシング３の背面側に方向転換させて搬送経路（図２に２点鎖線で表示）に送り出すようになっている。
【００２０】
なお、上記搬送経路のうち、給紙ローラ８の上端から画像形成位置Ｐ１に到る大部分は、複合機１の本体側に形成された用紙ガイド部材５１と、プロセスユニット１７の底面部とにより形成されている。
【００２１】
給紙ローラ８は、後述の感光体ドラム２７や定着ローラ４１等の各種ローラと比べて、直径が大きく設定されている（例えば、感光体ドラム２７の直径２４ｍｍ、定着ローラ４１の直径２５ｍｍに対して、給紙ローラ８の直径は３３ｍｍ）。このように給紙ローラ８の直径を比較的大きく設定し、用紙が湾曲させられる曲率を小さくすれば、例えば、はがき等のように用紙に厚みがある場合であっても給紙ローラ８により用紙を折り曲げることなく良好に搬送することができる。
【００２２】
また、図２に示すように、給紙カセット６は用紙押圧板７を備えている。用紙押圧板７は、給紙カセット６に対して片持ち支持されており、給紙ローラ８に対して近い方の端部が上下方向に揺動可能とされている。この用紙押圧板７は図示しないバネが付設されており、給紙カセット６上に載置された用紙前端の上面が送出ローラ１１に常に接触した状態となるように上向きに付勢されている。
【００２３】
分離パッド９は給紙ローラ８の下部において、バネ１３によって給紙ローラ８に向かって押圧された状態で取り付けられており、複数の用紙が重なった状態で搬送経路内に供給されることを防止するよう機能する。すなわち、送出ローラ１１により送られてきた用紙は、給紙ローラ８と分離パッド９とに接触するが、このとき、分離パッド９と用紙との間には、適度な摩擦力が加えられるので、送出ローラ１１により複数の用紙が分離パッドまで送られてきたとしても、最上位に位置する用紙以外の用紙は分離パッド９により係止される。このため、給紙ローラ８からは１枚毎に用紙が供給される。また、符号５０は紙粉取りローラであって、供給された用紙の紙粉を取り除くためのものである。
【００２４】
レジストローラ１２は１対のローラから構成されており、給紙ローラ８の近傍に配置された位置センサ６４による検知タイミングに基づいて、駆動及び停止の動作が制御される。そして、この制御により用紙の斜行が修正される。すなわち、レジストローラ１２は、給紙ローラ８による用紙の搬送時において駆動している状態とされ、位置センサ６４が用紙の先端を検知すると停止される。そして、用紙がレジストローラ１２に接触し弛んだ状態になった頃に、再びレジストローラ１２は駆動され、用紙を画像形成部５に送るようにしている。
【００２５】
なお、位置センサ６４は機械式のものであり、用紙と接触して押されると用紙が接触する前の所定の位置から変位するよう構成されている。また、給紙ローラ８のやや上方には、複合機１の手前側からレジストローラ１２の位置に直接用紙を給紙するための手差給紙口１４が形成されており、給紙カセット６に用紙を収納することなく搬送経路に用紙を供給することができる。
【００２６】
画像形成部５は、スキャナ部１６と、プロセスユニット１７と、定着器１８とを有している。スキャナ部１６は、本体ケーシング３内において後述するプロセスユニット１７の上部に設けられ、レーザ発光部２１０（図３参照）、ポリゴンモータ２５により回転駆動されるポリゴンミラー１９、及び、レンズ２０，２１、反射鏡２２，２３などを備えている。そして、スキャナ部１６は、レーザ発光部２１０から発光されるレーザビームをポリゴンミラー１９、レンズ２０、反射鏡２２、レンズ２１、反射鏡２３の順に通過或いは反射させて、図２における一点鎖線で示す経路を経てプロセスユニット１７における感光体ドラム２７の表面上に高速走査にて照射する。
【００２７】
プロセスユニット１７は、ドラムカートリッジ２６と現像カートリッジ２８とを有しており、本体ケーシング３に対して脱着可能に装着されている。すなわち、本体ケーシング３には、スキャナ部１６と給紙カセット６との間に位置してプロセスユニット１７を収容する収容部８４が形成されており、プロセスユニット１７は、複合機１の正面側（＋Ｘ側）からの操作により、この収容部８４内に出入りさせることができる。
【００２８】
また、図２に示すように、プロセスユニット１７のうち、ドラムカートリッジ２６は感光体ドラム２７、スコロトロン型帯電器２９、転写ローラ３０を備えている。一方、現像カートリッジ２８は現像ローラ３１及びトナーボックス３４などを備えてなると共に、ドラムカートリッジ２６に対して着脱自在に装着されている。
【００２９】
トナーボックス３４内には、トナーが充填されている。そして、トナーボックス３４内のトナーは、トナーボックス３４の中心に設けられる回転軸３５に支持されるアジテータ３６の矢印方向（時計方向）への回転により、攪拌されて、トナーボックス３４に設けられたトナー供給口３７から放出される。
【００３０】
トナー供給口３７の側方位置（背面側の位置）には、トナー供給ローラ３３が反時計方向に回転可能に配設されており、また、このトナー供給ローラ３３に対向して現像ローラ３１が反時計方向に回転可能に配設されている。そして、これらトナー供給ローラ３３と現像ローラ３１とはそれぞれがある程度圧縮するような状態で互いに当接されている。
【００３１】
また、現像ローラ３１の近傍には、層厚規制ブレード３２が配設されている。この層厚規制ブレード３２は、金属の板バネ材からなるブレード本体の先端部に、絶縁性のシリコーンゴムからなる断面半円形状の押圧部４０を備えており、現像ローラ３１の近くにおいて現像カートリッジ２８に支持されて、押圧部４０がブレード本体の弾性力によって現像ローラ３１上に圧接されるように構成されている。
【００３２】
そして、トナー供給口３７から放出されるトナーは、トナー供給ローラ３３の回転により、現像ローラ３１に供給される。このとき、トナー供給ローラ３３と現像ローラ３１との間でトナーは正に摩擦帯電され、更に、現像ローラ３１上に供給されたトナーは、現像ローラ３１の回転に伴って、層厚規制ブレード３２の押圧部４０と現像ローラ３１との間に進入し、ここで更に充分に摩擦帯電されて、一定厚さの薄層として現像ローラ３１上に担持される。
【００３３】
感光体ドラム２７は、現像ローラ３１の側方位置において、その現像ローラ３１と対向するような状態で時計方向に回転可能に配設されている。この感光体ドラム２７は、ドラム本体が接地されると共に、その表面部分が、ポリカーボネートなどから構成される正帯電性の感光層により形成されている。なお、この感光体ドラム２７は、メインモータ２２０（図３参照）からの動力によって回転駆動されるように構成されている。
【００３４】
スコロトロン型帯電器２９は、感光体ドラム２７に接触しないように、所定の間隔を隔てて配設されている。このスコロトロン型帯電器２９は、感光体ドラム２７の半径方向において、水平方向から約３０度上方に配置されている。また、このスコロトロン型帯電器２９は、このタングステンなどの帯電用ワイヤからコロナ放電を発生させる正帯電用のスコロトロン型の帯電器であり、感光体ドラム２７の表面を一様に正極性に帯電させるように構成されている。
【００３５】
そして、感光体ドラム２７の表面は、その感光体ドラム２７の回転に伴って、先ず、スコロトロン型帯電器２９により一様に正帯電された後、スキャナ部１６からのレーザビームの高速走査により露光され、所定の画像データに基づく静電潜像が形成される。
【００３６】
次いで、現像ローラ３１の回転により、現像ローラ３１上に担持されかつ正帯電されているトナーが、感光体ドラム２７に対向して接触する時に、感光体ドラム２７の表面上に形成される静電潜像、すなわち、一様に正帯電されている感光体ドラム２７の表面のうち、レーザビームによって露光され電位が下がっている露光部分に供給され、選択的に担持されることによって可視像化され、これによって反転現像が達成される。
【００３７】
転写ローラ３０は、感光体ドラム２７の下方において、この感光体ドラム２７に対向するように配置され、ドラムカートリッジ２６に反時計方向に回転可能に支持されている。この転写ローラ３０は、金属製のローラ軸に、イオン導電性のゴム材料からなるローラが被覆されており、転写時には、転写バイアス（転写順バイアス）が印加されるように構成されている。このため、感光体ドラム２７の表面上に担持された可視像は、用紙が感光体ドラム２７と転写ローラ３０との間（画像形成位置Ｐ１）を通る間に用紙に転写される。
【００３８】
そして、プロセスユニット１７よりも用紙搬送方向下流側（奥側）には、定着ローラ４１及び押圧ローラ４２とを備えた定着器１８が設けられている。定着ローラ４１は表面がフッ素樹脂によってコーティングされた金属管と、その金属管内に加熱のためのハロゲンランプとを備え、メインモータ２２０により回転駆動される。
【００３９】
押圧ローラ４２は、定着ローラ４１の下方において、定着ローラ４１を押圧するように対向配置されている。この押圧ローラ４２は金属製のローラ軸を、ゴム材料からなるローラで被覆することにより構成されており、定着ローラ４１の回転駆動に従って従動回転する。
【００４０】
定着器１８では、転写位置において用紙上に転写されたトナーを、用紙が定着ローラ４１と押圧ローラ４２との間を通過する間に熱定着する。トナーが定着した用紙は、本体ケーシング３の上面に向かって上下方向に延びた排紙パス（用紙ガイド部材５２、５３により形成される）に搬送される。排紙パスに搬送された用紙は、その上側に設けられた排紙ローラ４５によって、再び方向転換されて用紙排出口２４より排紙され、本体ケーシング３の上面壁４３の中央部分に凹設された排紙トレイ４６上に画像形成順に載置される。
【００４１】
この排紙トレイ４６は背面側から正面側に（−Ｘ側から＋Ｘ側に）向かってなだらかに湾曲しつつトレイの前端部分がやや下降する形状をなし、次に述べる画像読取ユニット１００の下面壁１０５との間に用紙取り出し口８２を形成している。これにより、例えば、Ａ４サイズの用紙に画像を形成したときには、画像形成後の用紙は排紙トレイ４６上に用紙取り出し口８２からその先端部分を突出させた態様で排紙される。これにより使用者は用紙取り出し口８２より、画像形成後の用紙を容易に取り出すことが出来る。
【００４２】
画像読取ユニット１００はフラットベット式であって、排紙トレイ４６の上面を被覆可能な上部ケーシング１０１を備えてなる。この上部ケーシング１０１は上方に開放する箱型をなすと共に、内部にイメージセンサ１１５を収容させた状態で上面が原稿を載置するためのプラテンガラス１０７によって塞がれている。イメージセンサ１１５は図２におけるＸ軸方向に延設されたライン型のセンサであって、ガイド軸１１７に支持され、同ガイド軸１１７に沿って紙面と直交する方向（Ｙ軸方向に）に進退可能とされている。
【００４３】
このイメージセンサ１１５には延設方向に複数のフォトダイオード（図示略）が列設されており、図示しない光源より原稿に強い光を当てたときの反射光を個々のフォトダイオードで受光して、各画素毎に反射光の光強度（明度）を電気信号に変換するように構成されている。画像読取ユニット１００では、これを図示しないＡ／Ｄ変換器にてデジタルデータ化することで、原稿上に形成された画像を画像データとして読み取ることができる。また、上部ケーシング１０１の下面壁１０５の後端（背面側の端）寄りの位置には除電ブラシ１３５が設けられている。除電ブラシ１３５はホルダ部１３５ｂと、このホルダ部１３５ｂに保持されるブラシ部１３５ａとによって構成されており、用紙の排出時にブラシ部１３５ａが用紙の全幅に亘って近接又は当接するように構成されている。
【００４４】
一方、図１に示すように画像読取ユニット１００の上面には、正面側（＋Ｘ側）に操作用のタッチパネル１２５やディスプレイ１２６などを備えた操作パネル１２１が配されると共に、これと並んでＡＤＦ機構１４５を備えた原稿カバー１４０が配置されている。
【００４５】
原稿カバー１４０はプラテンガラス１０７の上面を被覆可能な大きさに形成されると共に、上部ケーシング１０１における上面の背面寄りの位置に設けられる第二のヒンジ軸Ｊ２（図２参照）を介して同上部ケーシング１０１に回動可能に連結されている。
【００４６】
これにより、原稿カバー１４０は常にはプラテンガラス１０７の上方を覆った姿勢にあるが、原稿をセットする際には、正面側（＋Ｘ側）からの操作により原稿カバー１４０を第二のヒンジ軸Ｊ２を中心に回動させることでプラテンガラス１０７を露出させることが出来るようになっている。なお、ＡＤＦ機構１４５について詳細な説明は割愛するが、上述のイメージセンサ１１５を移動させずに、原稿供給トレイ１４７から１枚づつ原稿を取り込んでイメージセンサ１１５の上方を通過させ、そこで原稿から画像を読み取るものである。
【００４７】
また、図２に示す第一のヒンジ軸Ｊ１は、画像形成ユニット２に対して画像読取ユニット１００を連結するものである。上部ケーシング１０１の下面壁１０５であって操作パネル１２１の下方部には、上部ケーシング１０１の内方に張り出すように回動操作用の把手部１０５Ｂが設けられている。この把手部１０５Ｂに手を掛けて上向きに操作してやると、画像読取ユニット１００は第一のヒンジ軸Ｊ１を中心として回動され、排紙トレイ４６の上面を開放することができる。
＜制御系の構成及び制御＞
次に、図３は、この複合機１の制御系の構成を表すブロック図である。図３に示すように、複合機１を制御する制御装置２００は、ＣＰＵ２０１，ＲＯＭ２０２，ＲＡＭ２０３を主要部とするマイクロコンピュータを中心に構成されており、前述のレーザ発光部２１０，メインモータ２２０，ポリゴンモータ２５，画像読取ユニット１００が接続されている。また、制御装置２００には、電話回線等の通信回線を介してＦＡＸデータを送受信するモデム２３０や、他のコンピュータからプリントデータを受信するためのインタフェース（Ｉ／Ｆ）２４０も接続されており、更に、操作パネル１２１に設けられたタッチパネル１２５やディスプレイ１２６も接続されている。なお、制御装置２００には、図示したものの他、各種モータ等のアクチュエータや各種センサ等が接続されているが、以下に説明する処理に直接関係がないのでここでは説明を省略する。
【００４８】
図４は、制御装置２００に実行される処理のメインルーチンを表すフローチャートである。この処理は、複合機１への電源投入後、繰り返し実行される。処理が開始されると、先ずＳ１０（Ｓはステップを表す：以下同様）にて、ページ作成処理が実行される。
【００４９】
図５は、このページ作成処理を詳細に表すフローチャートである。この処理では、先ず、Ｓ５１にて、モデム２３０を介してＦＡＸデータを受信したか否かが判断される。ＦＡＸデータを受信していない場合は（Ｓ１１：Ｎ）、Ｓ１２にて、インタフェース２４０を介して他のコンピュータからプリントデータ（以下、ＰＣプリントデータともいう）を受信したか否かが判断される。ＰＣプリントデータも受信していない場合は（Ｓ１２：Ｎ）、Ｓ１３にて、タッチパネル１２５の操作状態に基づき使用者からのコピー要求があったか否かが判断され、コピー要求もない場合は（Ｓ１３：Ｎ）、処理は前述のＳ１１へ移行する。制御装置２００は、ページ作成処理の初めにこうしてＳ１１〜Ｓ１３の処理を繰り返すことにより、ＦＡＸデータの受信，ＰＣプリントデータの受信，またはコピー要求のいずれかがあるまで待機する。
【００５０】
ＦＡＸデータが受信されてＳ１１にて肯定判断がなされると、処理はＳ１５へ移行し、そのＦＡＸデータをモデム２３０を介して受信してＲＡＭ２０３の所定領域に書き込むＦＡＸ受信処理が実行される。続くＳ１６では、Ｓ１５にて受信されたＦＡＸデータに基づき、そのデータの解像度や用紙サイズ等を指示するページ情報が作成され、Ｓ１７にて、実際に用紙に記録すべき各ページのイメージデータ等からなるページデータが作成される。更に、続くＳ１８にて、上記作成されたページ情報及びページデータがＲＡＭ２０３の所定領域に設けられたページ管理部２０３ａに登録され、処理はＳ３０の記録処理（図４参照）へ移行する。
【００５１】
また、上記待機中（Ｓ１１〜Ｓ１３）にＰＣプリントデータが受信された場合も（Ｓ１２：Ｙ）、同様に、そのＰＣプリントデータがインタフェース２４０を介して受信されＲＡＭ２０３の所定領域に書き込まれ（Ｓ２１）、そのＰＣプリントデータに基づきページ情報が作成され（Ｓ２２）、更に、そのＰＣプリントデータに基づきページデータが作成される（Ｓ２３）。そして更に、上記作成されたページ情報及びページデータが上記ページ管理部２０３ａに登録され（Ｓ２４）、処理はＳ３０の記録処理へ移行する。
【００５２】
上記待機中（Ｓ１１〜Ｓ１３）に、使用者によりタッチパネル１２５を介してコピー要求がなされた場合は（Ｓ１３：Ｙ）、画像読取ユニット１００を介して原稿を読み取る読取処理が実行される（Ｓ２５）。続いて、その読み取られたデータに基づきページ情報が作成され（Ｓ２６）、ページデータが作成される（Ｓ２７）。そして更に、上記作成されたページ情報及びページデータが上記ページ管理部２０３ａに登録され（Ｓ２８）、処理はＳ３０の記録処理（図４参照）へ移行する。
【００５３】
図６は、これらＳ１８，Ｓ２４，Ｓ２８の処理によりページ管理部２０３ａに登録された登録データ５００の構成を例示する説明図である。図６に示すように、この登録データ５００は、ページ情報５０１とページデータ５０２との組を頁単位毎に備えて構成されており、あるジョブが複数ページから構成される場合には、その組がページ数だけ存在する。そして、ページ情報５０１には、解像度、用紙に対する画像の走査方向のずれを表すＸＯｆｆｓｅｔ、用紙に対する画像の副走査方向のずれを表すＹＯｆｆｓｅｔ、用紙サイズ、用紙種類、排紙トレイ４６を指定するＴｒａｙ（本実施の形態では排紙トレイ４６は１つであるので無意味）、トナーセーブモードの設定／非設定、ジョブの機能種別（Ｆａｘ，Ｐｒｉｎｔｅｒなどの種別）、ジョブの通し番号（Ｎｏ．）、などが記録される。
【００５４】
このようなデータがページ管理部２０３ａに登録されると（Ｓ１８，Ｓ２４，Ｓ２８）、前述のように、Ｓ３０の記録処理が実行される。図７は、この記録処理を詳細に表すフローチャートである。この処理では、先ず、Ｓ３１にてページデータがあるか否かが判断される。最初にこの処理へ移行したときには、少なくとも１ページ分のページデータが作成されているので、肯定判断がなされて処理はＳ３２へ移行し、そのページが印字キューへ登録される。なお、印字キューとは、用紙に記録されるべき上記登録データを待ち行列として記憶するＲＡＭ２０３内の領域である。
【００５５】
続くＳ３３では、画像形成部５に動作開始が指示されることによりメインモータ２２０等が駆動され、Ｓ３４にて、ページデータに応じてレーザ発光部２１０にビデオ信号が出力されることにより用紙に画像が記録される。続くＳ３５では、画像が記録された用紙が排紙トレイ４６に排紙され、Ｓ３６にて、ＦＡＸ，プリント，コピーの各機能毎に設けられてかつジョブ番号毎に区分されたページカウンタ２０３ｂが更新される。例えば、ＦＡＸデータに応じた画像を記録した用紙が１枚排紙されると、ＦＡＸのジョブ番号に対応したページカウンタが１つインクリメントされ、また、トータル枚数及びＦＡＸトータル枚数が１つインクリメントされる。
【００５６】
図８には、ページカウンタの１構成例が示されており、ＲＡＭ２０３のページカウンタ２０３ｂには、ＦＡＸ，プリント，コピーの各機能毎にトータル枚数が記憶されると共に、各ジョブ番号毎に出力枚数及び出力順序が記憶される。
【００５７】
Ｓ３６の処理が終了すると、処理は再びＳ３１へ移行し、まだ記録されていないページデータがあるか否かが判断される。ページデータがある場合は（Ｓ３１：Ｙ）、前述のＳ３２〜Ｓ３６の処理が実行され、全てのページデータを記録し終わってページデータがなくなると（Ｓ３１：Ｎ）、処理はＳ５０の排紙枚数表示処理（図４参照）へ移行する。
【００５８】
図９は、排紙枚数表示処理を詳細に表すフローチャートである。この処理では、先ずＳ５１にて、タッチパネル１２５のうちの所定の排紙情報キー（例えば＃キー）の入力があるまで待機する。排紙情報キーの入力があると（Ｓ５１：Ｙ）、排紙トレイ４６に排紙されている用紙に関する排紙情報が、ディスプレイ１２６に表示される。図１０（Ａ）は、この排紙情報の１表示例であり、ファクシミリ機能による画像が記録された用紙が１５ページ、他の機能により画像が記録された用紙が７０ページあり、ジョブの総数が５であることを表している。これらの表示は、図３に示すページカウンタ２０３ｂに記憶された値に基づいて行われる。
【００５９】
続くＳ５３では、タッチパネル１２５のうちの番号キーの入力があるまで待機し、番号キーの入力があると（Ｓ５３：Ｙ）、Ｓ５４にてそのジョブ番号に対応したジョブの情報が表示される。図１０（Ｂ）は、ジョブの情報の１表示例である。この表示では、２番目のジョブはファクシミリ機能によるもので３ページあり、先頭から１０ページ目に（すなわち１０ページ目から〜１２ページ目にかけて）存在することを表している。これは、ページカウンタ２０３ｂに記憶された各ジョブ番号毎の枚数及び出力順序に基づいて算出される。Ｓ５３にて、「２」の番号キーが入力されたと判断されると、このように２番目のジョブに対応するジョブの情報が表示される。他の番号キーが入力された場合も、ページカウンタ２０３ｂに記憶された値に基づいてその番号に応じて同様の表示がなされる。
【００６０】
続くＳ５５では、タッチパネル１２５のうちクリアキーの入力があったか否かが判断され、その入力がない場合は（Ｓ５５：Ｎ）、Ｓ５６にて番号キーの入力があったか否かが判断される。番号キーの入力があった場合は（Ｓ５６：Ｙ）、処理は前述のＳ５４へ移行し、番号キーの入力がない場合は（Ｓ５６：Ｎ）、処理は前述のＳ５５へ移行する。
【００６１】
すなわち、図１０（Ｂ）に例示したようなジョブの情報が表示されたとき、使用者は、そのジョブが所望のジョブであった場合、そのジョブ番号に対応する用紙を取り出してクリアキーの入力を行う。また、所望のジョブでなかった場合は、他のジョブ番号に対応する番号キー入力し直す。そこで、Ｓ５５，Ｓ５６では、クリアキーまたは番号キーのいずれかの入力があるまで待機し、番号キーの入力があると（Ｓ５６Ｙ：）、そのジョブ番号に対応したジョブの情報が表示されるのである（Ｓ５４）。
【００６２】
一方、Ｓ５５，Ｓ５６による待機中にクリアキーの入力があると（Ｓ５５：Ｙ）、処理はＳ５７へ移行し、そのジョブのページ数分カウンタを更新する。すなわち、前述のように機能毎に設けられジョブ番号毎に区分されたページカウンタ２０３ｂから、Ｓ５４にて表示されたジョブ番号に対応するページ数及び出力順序などの情報が消去されると共に、全トータル枚数，ＦＡＸトータル枚数，出力順序が再計算されて更新される。すなわち、ページカウンタ２０３ｂに記憶されたジョブ番号２に対応する情報が消去されると共に、トータル枚数及びＦＡＸトータル枚数について数値３が減算されて更新される。また、出力順序ｎ+１ 以下のものについて、出力順序が１つインクリメントされて更新される。従って、このとき、ディスプレイ１２６には図１０（Ｃ）に例示するようにそのジョブ（図１０の例ではジョブ２）をクリアした旨の表示がなされる。続くＳ５８では、前述の排紙情報が再表示されて、処理は前述のＳ１０（図４参照）へ移行する。図１０（Ｄ）は、Ｓ５８の処理によりディスプレイ１２６に再表示された画面を例示している。この画面では、ファクシミリ機能による画像が形成された用紙が３ページ分取り出されことから、ページカウンタ２０３ｂに記憶された値に基づいてファクシミリ機能による画像が形成された用紙の枚数は図１０（Ａ）に示した１０ページから図１０（Ｄ）に示すように７ページに変更される。
【００６３】
このように、本実施の形態では、使用者が排紙情報キーを入力すると、ファクシミリ機能による画像が形成された用紙のページ数と他の機能により画像が形成された用紙のページ数とジョブの総数とが表示される。そして、使用者が所望のジョブに対応する番号を入力すると、そのジョブのページ数と先頭ページが何ページ目であるかが表示される。このため、排紙トレイ４６に複数の異なるジョブ及び機能に対応して画像が形成された用紙が順次積層された場合でも、ジョブ毎及び機能毎にその用紙の先頭ページ及びページ数を掌握することができ、その用紙をジョブ毎または機能毎に仕分けるのも容易になる。従って、本実施の形態では、多段の排紙トレイを設けなくても所望のジョブまたは機能に対応する画像が形成された用紙を容易に取り出すことができ、装置の操作性を低下させることなく小型化が可能となる。
【００６４】
しかも、本実施の形態では、特定のジョブ及び機能に対応する画像が形成された用紙が取り出されてクリアキーが入力されると、そのジョブ及び機能に対応するページカウンタ２０３ｂが更新され、各ジョブ及び機能のページ数等が再表示される。従って、特定のジョブ及び機能に対応する画像が形成された用紙が取り出された後からでも、他の所望のジョブまたは機能に対応する画像が形成された用紙を容易に取り出すことができる。
【００６５】
しかも、本実施の形態では、排紙情報として、ファクシミリ機能により画像を形成された用紙のページ数と他の機能により画像を形成された用紙のページ数とを区別可能に表示している。ファックスは、使用者の意図しないタイミングで送られてくる場合があるので、このような表示を行った場合、一層顕著な効果が得られる。更に、本実施の形態では、排紙トレイ４６を１つしか有さない複合機１に上記のような表示を採用しているので、複合機１を一層小型化することができ、一層顕著な効果が得られる。
【００６６】
なお、上記実施の形態において、画像形成部５が画像形成手段に、排紙トレイ４６が載置部に、Ｓ３１〜Ｓ３５の処理が制御手段に、Ｓ３６の処理が計数手段に、Ｓ５２，Ｓ５４の処理及びディスプレイ１２６が表示手段に、Ｓ５７の処理及び上記クリアキーが取消手段及び再計算手段に、Ｓ５８の処理及びディスプレイ１２６が再表示手段に、それぞれ相当する。
＜他の実施の形態＞
また、本発明は、上記実施の形態に何ら限定されるものではなく、本発明の要旨を逸脱しない範囲で種々の形態で実施することができる。例えば、本実施の形態では、Ｓ１１〜Ｓ１３の処理中にいずれかで肯定判断がなされると、そのジョブに対して排紙枚数表示処理（Ｓ５０）まで連続的に実行されるが、排紙枚数表示処理は記録処理（Ｓ３０）が一定時間なされないときに行ってもよい。また、１つのジョブに対してページデータの作成（Ｓ１７，Ｓ２３，Ｓ２７）や記録処理（Ｓ３０）等がなされているときでも、他のデータ受信やコピー機能による読取（Ｓ１５，Ｓ２１，Ｓ２５）が実行可能であってもよく、この場合、ファクシミリ機能，コピー機能，プリント機能の順に優先的に処理が実行されてもよい。
【００６７】
また更に、ディスプレイ１２６における表示形態も、上記実施の形態のものに限らず種々の形態を考えることができる。図１１は、ディスプレイ１２６における表示の変形例を表す説明図である。例えば、図１１（Ａ）に例示するように、ディスプレイ１２６には各機能毎にそれぞれ何ページ目から何ページ目までに用紙が存在するかを示し、用紙が取り出されてクリアキーが入力された場合は、図１１（Ａ）の「プリント」の例のように単に取消線で消すだけであってもよい。この場合、カウンタの更新などの処理が必要ない。更に、図１１（Ａ）の例では、各機能に対して、まだ用紙が取り出されていないものには○、取り出されたものには×を表示している。
【００６８】
また、図１１（Ｂ）の例では、ジョブ単位で１，２，３，…と番号をつけ、各ジョブに対応する用紙が何ページ目から何ページ目までに存在し、そのジョブがどの機能に対応するかを表示している。これは、ページカウンタ２０３ｂに記憶された出力枚数及び出力順序に基づいて表示される。なお、これら図１１（Ａ），（Ｂ）に例示した表示形態は、そのままでは、図１０に例示した表示形態に比べて大きいディスプレイ１２６を必要とするが、ディスプレイ１２６にスクロール機能などを付与すれば小さいディスプレイ１２６にも適用可能となる。
【図面の簡単な説明】
【００６９】
【図１】本発明が適用された複合機の構成を表す斜視図である。
【図２】その複合機の内部構成を表す垂直断面図である。
【図３】その複合機の制御系の構成を表すブロック図である。
【図４】その制御系で実行される処理のメインルーチンを表すフローチャートである。
【図５】その処理のうちのページ作成処理を詳細に表すフローチャートである。
【図６】そのページ作成処理にて作成される登録データの構成を例示する説明図である。
【図７】上記処理のうちの記録処理を詳細に表すフローチャートである。
【図８】上記制御系におけるページカウンタの１構成例を表す説明図である。
【図９】上記処理のうちの排紙枚数表示処理を詳細に表すフローチャートである。
【図１０】その排紙枚数表示処理によるディスプレイにおける表示を表す説明図である。
【図１１】ディスプレイにおける表示の変形例を表す説明図である。
【符号の説明】
【００７０】
１…複合機                    ５…画像形成部            ４６…排紙トレイ
１００…画像読取ユニット      １２５…タッチパネル      １２６…ディスプレイ
２００…制御装置              ２３０…モデム            ２４０…インタフェース
５００…登録データ            ５０１…ページ情報        ５０２…ページデータ
【図１】
0004424290.tif 000002
【図２】
0004424290.tif 000003
【図３】
0004424290.tif 000004
【図４】
0004424290.tif 000005
【図５】
0004424290.tif 000006
【図６】
0004424290.tif 000007
【図７】
0004424290.tif 000008
【図８】
0004424290.tif 000009
【図９】
0004424290.tif 000010
【図１０】
0004424290.tif 000011
【図１１】
0004424290.tif 000012